(57)【要約】【課題】簡易な操作で２つのチューブ容器から同時に、かつ同一の比率で内容物を絞り出すことができるチューブ容器の絞り器を提供すること。【解決手段】  チューブ容器の胴部を通して扁平に押し潰す、細長な絞り孔を壁面に一対備えた枠体と、絞り孔を通過してきたチューブ容器の後端を挿入し保持するスリットを軸心に沿って備え、前記絞り孔に別々に対向して、前記枠体に回動自在に組み付けられた一対の巻き取り軸体と、枠体に組み付けられ、一対の巻き取り軸体を同期して回動させる操作体とからチューブ容器絞り器を構成した。  これにより操作体を回動させることにより容易に２つのチューブ容器から内容物を同時に、かつ常に同一の比率で絞り出すことができる。【選択図】図１
2006124004.tif 000002
【特許請求の範囲】
【請求項１】
２つ並列に配置したチューブ容器を同時に絞る絞り器において、
チューブ容器の胴部を通して扁平に押し潰す、細長な絞り孔を壁面に一対備えた枠体と、
前記絞り孔を通過してきたチューブ容器の後端を挿入し保持するスリットを軸心に沿って備え、前記絞り孔に別々に対向して、前記枠体に回動自在に組み付けられた一対の巻き取り軸体と、
前記枠体に組み付けられ、前記一対の巻き取り軸体を同期して回動させる操作体とからなるチューブ容器絞り器。
【発明の詳細な説明】
【技術分野】
【０００１】
本発明は、並列に配置したチューブ容器を同時に絞ることができるチューブ容器の絞り器に関する。
【背景技術】
【０００２】
接着剤や毛染め剤などでは、予め主剤と反応剤とをそれぞれ個別にチューブ容器に収容しておき、使用直前に内容物をそれぞれのチューブ容器から絞り出して混合する二液混合タイプのものが知られている。このような混合タイプの内容物の場合、２つのチューブ容器から同時に内容物を絞り出し、チューブ容器を絞る手間を省き、また常に一定の比率で２つの内容物が絞り出されるようにしたチューブ容器の絞り器が考案されている。
【特許文献１】実開平５−４６７５１号公報
【特許文献２】実用新案登録第３０４８２８５号公報
【発明の開示】
【発明が解決しようとする課題】
【０００３】
しかしながら、実開平５−４６７５１号公報に記載の絞り出し用ガンは、チューブ容器の後端をチューブ固定部８に止め、チューブ絞り出し部６をチューブ固定部８から前方に押し出してチューブ容器の胴部を絞ることとしているので、チューブ絞り出し部６より前方にはチューブ容器の胴部を保持する部材がなく、チューブ容器の先方が重みで垂れ下がりやすくなっていた。
【０００４】
また実用新案登録第３０４８２８５号公報に記載のチューブ絞り器は、一方の手で保持板を持ち、他方の手で操作板を押してチューブ容器を絞るため、片手ではチューブ絞り器を操作して内容物をチューブ容器から絞り出すことができず、内容物の取り出しに手間がかかっていた。
本発明は、簡易な操作で２つのチューブ容器から同時に、かつ同一の比率で内容物を絞り出すことができるチューブ容器の絞り器を提供することを目的とする。
【課題を解決するための手段】
【０００５】
本発明は上記課題を解決するため、２つ並列に配置したチューブ容器を同時に絞る絞り器を次のように構成した。
チューブ容器の胴部を通して扁平に押し潰す、細長な絞り孔を壁面に一対備えた枠体と、絞り孔を通過してきたチューブ容器の後端を挿入し保持するスリットを軸心に沿って備え、前記絞り孔に別々に対向して、前記枠体に回動自在に組み付けられた一対の巻き取り軸体と、枠体に組み付けられ、一対の巻き取り軸体を同期して回動させる操作体とからチューブ容器絞り器を構成した。
【発明の効果】
【０００６】
本発明のチューブ容器絞り器は、操作体を枠体に対して回動させることにより、巻取り軸体が同期して回転し、並列に配置したチューブ容器の胴部を枠体内に同時に巻き取る。チューブ容器が枠体内に巻き取られると胴部が絞り孔を通過することにより絞られるため、２つのチューブ容器から内容物を同時に、かつ同一の比率で常に絞り出すことができる。
【発明を実施するための最良の形態】
【０００７】
図１にチューブ容器絞り器の一例を示す。
チューブ容器絞り器２は、枠体４と、操作体６と、ガイド枠体８と、一対の巻取り軸体１０と、伝達歯車１２などから構成してある。図５にチューブ容器５０を示す。チューブ容器５０は、口部５２にキャップ６０が組み付けられ、口部５２から後方に延びる胴部５４の後端を熱溶着等により圧着し内容物を封入している。
枠体４は図４に示すように、上部が円盤状で操作体６が回動自在に組み付き、下部が直方体状に形成されている。枠体４の下部には縦に細長く形成した絞り孔５が一対平行に形成してある。絞り孔５はチューブ容器５０の胴部５４を通過させることができる形状で、かつ胴部５４を通過させると胴部５４内に内容物を残さないように胴部５４を両側より押し潰す幅になっている。
操作体６は枠体４の上部外周に嵌合し、周状に形成された突状部材７により上方に抜けることなく、かつ回動自在に組み付けられている。操作体６の頂板９の内面中心には作動歯車１６が設けられている。作動歯車１６は、操作体６と一体に成形しても、別途組み付けるようにしてもよい。
巻取り軸体１０は中空の円筒体で、上部に歯車１８を同軸上に備え、軸の長手方向に切欠き２０が形成してある。切欠き２０はチューブ容器５０の胴部５４の後端、すなわちシール部が挿入できるように形成してあり、切欠き２０の向きを平行に配置すると歯車１８の上面で一直線に並ぶように目印２１が印されている。
ガイド枠体８は図４に示すように円盤状で、枠体４の上部内面に形成された凸部２３に噛みあう凹部２５を側面に備え、枠体４の上部に回転不能に組み付けられている。ガイド枠体８には巻取り軸体１０を回動自在に保持する軸受１７が一対形成してあり、それぞれの軸受１７内に巻取り軸体１０を差し入れると巻取り軸体１０の軸心と絞り孔５の中心とが対向し、かつそれぞれの歯車１８が上部で噛み合うように配置される。またガイド枠体８には伝達歯車１２を回動自在に支持する支持軸１９が設けてある。
伝達歯車１２は、径の異なる歯車を上下に組み合わせた二段歯車で、支持軸１９に差し入れると図２に示すように下段の歯車は、巻取り軸体１０の一方の歯車１８と噛み合い、上段の歯車は作動歯車１６に噛み合わされる。
次にチューブ容器絞り器２の作動について説明する。
まず操作体６を適宜回転させて切欠き２０の向きを絞り孔５の方向に向けさせる。そして２つのチューブ容器５０のシール部をそれぞれ絞り孔５に挿入し、更に切欠き２０内に差し入れる。そして操作体６を枠体４に対して回転させると、作動歯車１６の回転が伝達歯車１２に伝わり、伝達歯車１２の下部の歯車が歯車１８を回転させる。すると歯車１８は、他の巻取り軸体１０の歯車１８と噛み合っているので双方の巻取り軸体１０が同期して回転し、シール部が巻取り軸体１０に巻き付けられ、２つのチューブ容器５０の後端が保持される（図３参照）。
かかる状態からキャップ６０を口部５２から取り外し、更に操作体６を回転させると、胴部５４が巻取り軸体１０に順次巻き取られ、胴部５４が絞り穴５を通過して絞られるので、巻取り量に応じてチューブ容器５０から内容物が絞り出される。
２つのチューブ容器５０は同時に、しかも同一回転量巻取り軸体１０に巻き取られるので、常に一定の内容物がそれぞれのチューブ容器５０から絞り出される。
所定の内容物を絞り出した後はキャップ６０を締めて保管でき、また最後まで絞り出したら、チューブ容器５０を枠体４から抜き取り、新たな２つのチューブ容器５０をチューブ容器絞り器２に装填する。
【図面の簡単な説明】
【０００８】
【図１】本発明にかかるチューブ容器絞り器を示す一部断面正面図である。
【図２】歯車列を示す平面図である。
【図３】チューブ容器絞り器を示す一部断面図である。
【図４】チューブ容器絞り器を示す分解斜視図である。
【図５】チューブ容器を示す斜視図である。
【符号の説明】
【０００９】
２    チューブ容器絞り器
４    枠体
５    絞り孔
６    操作体
７    突条
８    ガイド枠体
９    頂板
１０  巻取り軸体
１２  伝達歯車
１６  作動歯車
１７  軸受
１８  歯車
１９  支持軸
２０  切欠き
２１  目印
２３  凸部
２５  凹部
５０  チューブ容器
５２  口部
５４  胴部
６０  キャップ
【図１】
2006124004.tif 000003
【図２】
2006124004.tif 000004
【図３】
2006124004.tif 000005
【図４】
2006124004.tif 000006
【図５】
2006124004.tif 000007
【手続補正書】
【提出日】平成16年11月8日(2004.11.8)
【手続補正１】
【補正対象書類名】図面
【補正対象項目名】全図
【補正方法】変更
【補正の内容】
【図１】
2006124004.tif 000008
【図２】
2006124004.tif 000009
【図３】
2006124004.tif 000010
【図４】
2006124004.tif 000011
【図５】
2006124004.tif 000012